【手続補正書】
【提出日】平成25年1月24日(2013.1.24)
【手続補正１】
【補正対象書類名】明細書
【補正対象項目名】００３１
【補正方法】変更
【補正の内容】
【００３１】
ＯＬＴ１０からＯＮＵ２０へ向け発信される下り信号は、光アンプ等で構成される強度制御部（図示せず）増幅または強度調整され、スプリッタ３０およびスプリッタ３１Ａ〜３１Ｃで分岐されて、ＰＯＮ１を構成するＯＮＵ２０Ａ−１〜２０Ｄ−ｎＤに到達する。ＯＬＴ１０からの下り信号は、ＰＯＮ区間８０（８０Ａ〜８０Ｃ）の通信に用いるフレーム（以下、下り基本フレームと称する）を用いて送出される。この下り基本フレームには、ＧＥＭ（GPON Encapsulation Method）フレームと呼ばれるフレームが収容される。ＧＥＭフレームは、ヘッダとペイロードから構成され、各ヘッダには、個々のＧＥＭフレームの宛先となるＯＮＵ２０を識別するための識別子（以下、Ｐｏｒｔ−ＩＤとも称することがある）が挿入されている。ＯＮＵ２０は、ＧＥＭフレームのヘッダを抽出し、当該フレームの宛先Ｐｏｒｔ−ＩＤが自分自身を指すものであった場合に当該フレームの処理を行なう。ＯＮＵ２０は、他のＯＮＵ２０宛てのフレームであった場合は当該フレームを廃棄する。
【手続補正２】
【補正対象書類名】明細書
【補正対象項目名】００４１
【補正方法】変更
【補正の内容】
【００４１】
図３を参照して、ＯＬＴの構成を説明する。図３において、ＯＬＴ１０は、ＩＦ１１００と、下りフレーム処理部１２１０と、電気−光変換部（Ｅ／Ｏ）１３１０と、ＰＯＮ制御部１０００と、光−電気変換部（Ｏ／Ｅ）１３２０と、上りフレーム処理部１４１０と、ＷＤＭ１５００とから構成されている。下りフレーム処理部１２１０は、下り経路情報ＤＢ１２１１を保持する。電気−光変換部（Ｅ／Ｏ）１３１０は、強度制御部１１０００を含む。ＰＯＮ制御部１０００は、光制御部１０９０と、ＯＮＵ管理部１０６０とを含む。上りフレーム処理部１４１０は、上り経路情報ＤＢ１４１１を保持する。光制御部１０９０は、光増幅率情報ＤＢ１０９１を保持する。ＮＵ管理部１０６０は、レンジング／ＤＢＡ情報ＤＢ１０６１を保持する。ＩＦ１１００は、スイッチまたはルータを介してアクセス網９０に接続されている。ＷＤＭ１５００は、集線光ファイバ７０を介してＯＮＵ２０に接続されている。
【手続補正３】
【補正対象書類名】明細書
【補正対象項目名】００４４
【補正方法】変更
【補正の内容】
【００４４】
イーサネットパケットをカプセリングしたＧＥＭフレームは、下りフレーム処理部１２１０から読み出される。Ｅ／Ｏ処理部１３１０は、読み出した電気信号を光信号に変換する。Ｅ／Ｏ処理部１３１０は、光信号を波長多重分離器（ＷＤＭ）１５００と集線光ファイバ７０を介して、ＯＮＵ２０へ送信する。このとき、Ｅ／Ｏ処理部１３１０に具備された強度制御部１１０００にて、当該フレームの対象となるＯＮＵ２０が属するＯＮＵ群によって、それぞれ異なる光強度で送信する。この強度制御部１１０００は、光アンプおよび光アンプの増幅率設定回路（図示せず）により実現される。増幅率設定回路は、光制御部１０９０からの指示により制御される。光制御部１０９０では、当該下りフレームの宛先を参照し、宛先と関連付けられる光増幅率情報ＤＢ１０９１から得られる増幅率に従い、フレームの増幅率を設定する。光増幅率情報は、ＯＮＵ管理部１０６０に保持されるレンジング情報（ＲＴＤを基に算出される、ＰＯＮ区間の通信距離情報）に基づいて設定する。
【手続補正４】
【補正対象書類名】明細書
【補正対象項目名】００４６
【補正方法】変更
【補正の内容】
【００４６】
図４を参照して、ＯＬＴ１０の下りフレーム処理部１２１０とＰＯＮ制御部１０００の詳細な構成を説明する。図４において、下りフレーム処理部１２１０は、ヘッダ解析部１２１０５と、複数のパケットバッファ１２１０１と、ヘッダ変換・付与部１２１０２と、ＧＥＭヘッダ生成部１２１０３と、ＧＥＭフレーム生成部１２１０４と、送信計画決定部１２１０８と、送信光強度取得部１２１０６と、下り強度マップ生成部１２１０７とから構成されている。また、下りフレーム処理部１２１０は、下り経路情報ＤＢ１２１１を保持する。なお、パケットバッファの個数を３つとしているが、これに限定されるものではない。
【手続補正５】
【補正対象書類名】明細書
【補正対象項目名】００５０
【補正方法】変更
【補正の内容】
【００５０】
処理（２）では、送信計画決定部１２１０８は、パケットバッファ１２１０１−１〜１２１０１−３の監視を順次行なう。送信計画決定部１２１０８は、監視結果に基づき各ＯＮＵ群への信号送信計画を決定する。送信計画決定部１２１０８は、決定した信号送信計画を下り強度マップ生成部１２１０７に通知し、下り強度マップの生成に利用する。信号送信計画の内容および決定方法については後で詳細を述べる。
【手続補正６】
【補正対象書類名】明細書
【補正対象項目名】００６５
【補正方法】変更
【補正の内容】
【００６５】
ＰＯＮ制御部２０００は、レンジング信号処理部２０００１を含む。レンジング信号処理部２０００１は、レンジングリクエスト処理部からの応答要求通知を受信すると、通知に含まれるレンジングリクエスト受信時刻に基づいてレンジングレスポンスを送出する時刻（実際には装置内クロック数を用いて算出できる）を決定し、レンジングレスポンス生成および送出指示をレンジングレスポンス生成部２４１０４に対し送出する。通常レンジング処理はＯＮＵ２０立ち上げ時にのみ実施される。しかし、運用中の上り信号同期異常などの通信障害が検出された場合、再度レンジング処理を実施することもある。その際にはＰＯＮ制御部２０００のレンジング処理部２０００１から上りフレーム処理部に対し、レンジングレスポンス送信時には上りユーザデータフレーム送出を停止するように通知する。なお、図６では平常運用時の処理を説明しており、通信障害時の制御信号の流れについては図示していない。
【手続補正７】
【補正対象書類名】明細書
【補正対象項目名】００９５
【補正方法】変更
【補正の内容】
【００９５】
図１４を参照して、ＯＬＴ１０の光制御部１０９０における処理フローを説明する。
ＯＬＴ１０の下りフレーム処理部１２１０は、ＳＮＩで受信した下りフレームから抽出したヘッダ情報を検索キーとして、下り経路情報データベース１２１１を検索する。この段階で得られる、ＧＥＭフレームに付与するＰｏｒｔ−ＩＤ情報に基づき、発信光強度を問い合わせる。または、光制御部１０９０に当該ＯＮＵ２０までの送信距離（またはＯＮＵ迄の属するＯＮＵ群識別子情報）をレンジング／ＤＢＡ情報ＤＢ１０６１より検索し、この結果に基づき光増幅率情報ＤＢを検索する方法も可能である。後者の場合として、図１４を説明する。図１４において、光制御部１０９０は、下りフレーム処理部１２１０からの、ＯＮＵ２０がＯＮＵ群のうちいずれに属しているかの確認依頼を受け付ける（Ｓ２０１）。光制御部１０９０は、この制御信号を受け、予めレンジング／ＤＢＡ情報ＤＢ１０６１に基づき決定された光増幅率ＤＢ１０９１を参照し、ＯＮＵ２０の属するＯＮＵ群を特定すると共に、フレーム処理部１２１０に対してＯＮＵ２０に対し信号送信する際の信号強度（増幅率）を決定する（Ｓ２０２）。この時、Ｐｏｒｔ−ＩＤに対応するＯＮＵ―ＩＤが同一であれば（またはＯＮＵ群が同一であれば）光増幅率も同一値となる。そのため、光増幅率ＤＢ１０９１には、レンジング／ＤＢＡ情報ＤＢ１０６１から展開された前述の図１２や図１３のテーブル情報や、その一部に加工を施した情報を格納する構成例を用いる。
【手続補正８】
【補正対象書類名】明細書
【補正対象項目名】００９８
【補正方法】変更
【補正の内容】
【００９８】
ステップ２０３で得た送信強度情報に基づいてフレーム処理部１２１０では下りフレームヘッダに挿入する下り強度マップを生成し、ＰＯＮ区間８０へ伝送する下りフレーム構成処理を完了する。ここで構成されるフレームは、後述する図１７に示したものとなる。
【手続補正９】
【補正対象書類名】明細書
【補正対象項目名】０１１０
【補正方法】変更
【補正の内容】
【０１１０】
ＧＰＯＮでは、ＯＬＴから各ＯＮＵ宛の信号は、図１７（Ａ）のように各ＯＮＵがＯＬＴからの信号を識別して処理できるように、ＯＬＴから各ＯＮＵに向けて送信される信号の先頭に、先頭を識別するためのフレーム同期パターン９０００と、監視・保守・制御情報を送信するＰＬＯＡＭフィールド５１３０と、各ＯＮＵの信号送信タイミングを指示するグラント指示領域９０１０と呼ばれるヘッダ（オーバヘッドと称されることもある）とが各ＯＮＵ宛に時分割多重化されたデータ５１２０（ペイロードとも称されることもある）に付加されて構成されている。
【手続補正１０】
【補正対象書類名】明細書
【補正対象項目名】０１１１
【補正方法】変更
【補正の内容】
【０１１１】
図１７（Ａ）では、非特許文献１に従う下り信号のヘッダ情報に含まれる制御メッセージ領域であるＰＬＯＡＭ（Physical Layer Operation, Administration and Management）フィールドを用いる。制御フレーム識別子５１３１には、当該ＰＬＯＡＭメッセージが“光強度情報”を含む独自規定メッセージであることを示す識別子（ベンダ独自で使用できる空きＩＤを用いれば良い。ここでは例として“１１００００００”とした）を含む。ＰＬＯＡＭ内のメッセージフィールド５１３２には、ＯＮＵ２０群がフレームを受信／遮断すべきタイミングを示す下り信号送信計画５１５０を挿入する。この下り信号送信計画５１５０には、図１７（Ａ）には、ＯＬＴ１０にてＯＮＵ群単位で決定される下り信号送信計画に従い、信号遮断開始時刻５１５１と次回信号受信開始時刻５１５２を格納しておく。